(57)【要約】【課題】内容物が収容され、かつ口部が封止された状態で落下したときに、指当て用凹部が反転変形するのを抑制する。【解決手段】胴部１３のうち、口部１１の中心軸線Ｏを径方向に挟んで互いに対向する一対の側面領域１３ａに、指当て用凹部１５が各別に形成されるとともに、一対の側面領域同士の間に位置する背面領域１３ｂ、および指当て用凹部がグリップ部Ｇとされ、側面領域に、指当て用凹部の外周縁のうち、中心軸線に沿うこの容器１の底部１４側の下端縁から下方に向かうに従い漸次、径方向の外側に向けて延びる傾斜部１６が形成されたピンチグリップ式ボトル型容器１であって、指当て用凹部と傾斜部との接続部分１７に、指当て用凹部および傾斜部の双方に位置するリブ２１が形成され、リブは中心軸線に沿って延びている。【選択図】図１
2019202796.tif 000002
【特許請求の範囲】
【請求項１】
胴部のうち、口部の中心軸線を径方向に挟んで互いに対向する一対の側面領域に、指当て用凹部が各別に形成されるとともに、前記一対の側面領域同士の間に位置する背面領域、および前記指当て用凹部がグリップ部とされ、
前記側面領域に、前記指当て用凹部の外周縁のうち、前記中心軸線に沿うこの容器の底部側の下端縁から下方に向かうに従い漸次、径方向の外側に向けて延びる傾斜部が形成されたピンチグリップ式ボトル型容器であって、
前記指当て用凹部と前記傾斜部との接続部分に、前記指当て用凹部および前記傾斜部の双方に位置するリブが形成され、
前記リブは前記中心軸線に沿って延びているピンチグリップ式ボトル型容器。
【請求項２】
前記リブの上端縁の幅は、前記リブの下端縁の幅より広い請求項１に記載のピンチグリップ式ボトル型容器。
【発明の詳細な説明】
【技術分野】
【０００１】
本発明は、ピンチグリップ式ボトル型容器に関する。
【背景技術】
【０００２】
従来から、胴部のうち、口部の中心軸線を径方向に挟んで互いに対向する一対の側面領域に、指当て用凹部が各別に形成されるとともに、一対の側面領域同士の間に位置する背面領域、および指当て用凹部がグリップ部とされたピンチグリップ式ボトル型容器が知られている。
この種のピンチグリップ式ボトル型容器として、例えば下記特許文献１に示されるような、側面領域に、指当て用凹部の外周縁のうち、前記中心軸線に沿うこの容器の底部側の下端縁から下方に向かうに従い漸次、径方向の外側に向けて延びる傾斜部が形成された構成が知られている。
【先行技術文献】
【特許文献】
【０００３】
【特許文献１】特許第５１７７３８９号公報
【発明の概要】
【発明が解決しようとする課題】
【０００４】
しかしながら、前記従来のピンチグリップ式ボトル型容器では、内容物が収容され、かつ口部が封止された状態で落下したときに生ずる水撃作用によって、指当て用凹部の下端縁と傾斜部との接続部分が起点となって、指当て用凹部が反転変形するおそれがあった。
【０００５】
そこで、本発明は、内容物が収容され、かつ口部が封止された状態で落下したときに、指当て用凹部が反転変形するのを抑制することができるピンチグリップ式ボトル型容器を提供することを目的とする。
【課題を解決するための手段】
【０００６】
本発明は、上記課題を解決するために以下のような手段を採用した。すなわち、本発明のピンチグリップ式ボトル型容器は、胴部のうち、口部の中心軸線を径方向に挟んで互いに対向する一対の側面領域に、指当て用凹部が各別に形成されるとともに、前記一対の側面領域同士の間に位置する背面領域、および前記指当て用凹部がグリップ部とされ、前記側面領域に、前記指当て用凹部の外周縁のうち、前記中心軸線に沿うこの容器の底部側の下端縁から下方に向かうに従い漸次、径方向の外側に向けて延びる傾斜部が形成されたピンチグリップ式ボトル型容器であって、前記指当て用凹部と前記傾斜部との接続部分に、前記指当て用凹部および前記傾斜部の双方に位置するリブが形成され、前記リブは前記中心軸線に沿って延びている。
【０００７】
本発明では、指当て用凹部と傾斜部との接続部分に、指当て用凹部および傾斜部の双方に位置するリブが形成されているので、前記接続部分の剛性を高めることが可能になり、内容物が収容され、かつ口部が封止された状態で落下したときに生ずる水撃作用によって、前記接続部分に局所的な大きな負荷が加えられても、前記接続部分が起点となって指当て用凹部が反転変形するのを抑制することができる。
また、リブが前記中心軸線に沿って延びているので、リブが周方向に延びている構成と比べて、水撃作用に対する前記接続部分の剛性を確実に高めることができるとともに、この容器のブロー成形時にリブを精度よく形成することができる。
【０００８】
ここで、前記リブの上端縁の幅は、前記リブの下端縁の幅より広くてもよい。
【０００９】
この場合、リブの上端縁の幅が、リブの下端縁の幅より広いので、この容器のブロー成形時にリブを確実に精度よく形成することができる。
【発明の効果】
【００１０】
この発明によれば、内容物が収容され、かつ口部が封止された状態で落下したときに、指当て用凹部が反転変形するのを抑制することができる。
【図面の簡単な説明】
【００１１】
【図１】本発明に係る一実施形態として示したピンチグリップ式ボトル型容器の側面図である。
【図２】図１に示すピンチグリップ式ボトル型容器の、一部縦断面を含む背面図である。
【図３】図１および図２のＩＩＩ−ＩＩＩ線矢視断面図である。
【発明を実施するための形態】
【００１２】
以下、図面を参照し、本発明の一実施形態に係るピンチグリップ式ボトル型容器を説明する。
本実施形態に係るピンチグリップ式ボトル型容器１は、図１および図２に示されるように、口部１１、肩部１２、胴部１３および底部１４を備え、これら１１〜１４が、それぞれの中心軸線を共通軸上に位置させた状態で、この順に連設された概略構成となっている。ピンチグリップ式ボトル型容器１の内容積は、例えば２００ｍｌ以上４０００ｍｌ以下の内容物が充填される大きさとなっている。図示の例では、ピンチグリップ式ボトル型容器１は、約２７００ｍｌの内容物が充填されるのに用いられる大きさとなっている。
【００１３】
以下、前記共通軸を容器軸Ｏといい、容器軸Ｏ方向に沿って口部１１側を上側、底部１４側を下側といい、容器軸Ｏに沿う方向を上下方向といい、また、上下方向から見て容器軸Ｏに交差する方向を径方向といい、容器軸Ｏ回りに周回する方向を周方向という。
なお、ピンチグリップ式ボトル型容器１は、射出成形により有底筒状に形成されたプリフォームが、ブロー成形されて形成され、合成樹脂材料で一体に形成されている。口部１１には、図示しないキャップが装着される。口部１１、肩部１２、および底部１４はそれぞれ、容器軸Ｏに直交する横断面視形状が円形状となっている。
【００１４】
胴部１３のうち、容器軸Ｏを径方向に挟んで互いに対向する一対の側面領域１３ａに、指当て用凹部１５が各別に形成されている。胴部１３のうち、一対の側面領域１３ａ同士の間に位置する背面領域１３ｂ、および指当て用凹部１５が、使用者がピンチグリップ式ボトル型容器１を持ち上げる際に把持するグリップ部Ｇとなっている。背面領域１３ｂは、図３に示されるように、胴部１３において、一対の側面領域１３ａ同士の間に位置する一対の領域のうち、周方向の長さが短い方となっている。
【００１５】
指当て用凹部１５は、胴部１３の側面視で、上下方向に長い長方形状を呈する。指当て用凹部１５は、径方向の外側を向く底面１５ａと、底面１５ａの外周縁から径方向の外側に向けて立ち上がる複数の側壁面１５ｂ、１５ｃと、により画成されている。
底面１５ａは、上下方向に沿う縦断面視で直線状に延びている。底面１５ａに、上下方向に間隔をあけて複数の突条部１８が形成されている。突条部１８は、周方向に長い直方体状に形成されている。
【００１６】
複数の側壁面１５ｂ、１５ｃは、底面１５ａの上端縁から径方向の外側に向けて延び、下方を向く上側壁面１５ｂと、底面１５ａの下端縁から径方向の外側に向けて延び、上方を向く下側壁面１５ｃと、を備える。
【００１７】
上側壁面１５ｂは、径方向の外側に向かうに従い漸次、上方に向けて延びている。下側壁面１５ｃは、径方向の外側に向かうに従い漸次、下方に向けて延びている。容器軸Ｏに沿う縦断面視において、上側壁面１５ｂの長さは下側壁面１５ｃの長さより長い。下側壁面１５ｃの径方向の内端縁、および底面１５ａの下端縁は、段差なく滑らかに連なっている。下側壁面１５ｃは、前記縦断面視で凹曲線を呈する。下側壁面１５ｃにおける径方向の外端縁が、指当て用凹部１５の下端縁となっている。
【００１８】
側面領域１３ａに、指当て用凹部１５の下端縁から下方に向かうに従い漸次、径方向の外側に向けて延びる傾斜部１６が形成されている。傾斜部１６の容器軸Ｏに対する傾斜角度は、指当て用凹部１５の下側壁面１５ｃの容器軸Ｏに対する傾斜角度より小さい。傾斜部１６の上端縁と指当て用凹部１５の下端縁との接続部分１７は、径方向の外側に向けて尖る角部となっている。この接続部分１７は、胴部１３の側面視で周方向に真直ぐ延びている。この接続部分１７は、上側壁面１５ｂにおける径方向の外端縁より径方向の内側に位置している。
【００１９】
そして、本実施形態では、指当て用凹部１５と傾斜部１６との接続部分１７に、指当て用凹部１５および傾斜部１６の双方に位置するリブ２１が形成されている。リブ２１は、指当て用凹部１５における周方向の中央部に位置している。リブ２１の上下方向の大きさは、リブ２１の周方向の大きさより大きく、リブ２１は上下方向に延びている。リブ２１は、指当て用凹部１５における底面１５ａの下端縁より下方に位置し、下側壁面１５ｃおよび傾斜部１６の上部に一体に形成されている。リブ２１は、下側壁面１５ｃにおいて径方向の内端部より径方向の外側に位置する部分に配置されている。
【００２０】
リブ２１の上端縁の幅は、リブ２１の下端縁の幅より広い。リブ２１の幅は、下方から上方に向かうに従い漸次、広くなっている。リブ２１は、胴部１３の側面視で、逆三角形状を呈する。
リブ２１は、径方向の内側に向けて窪む凹部となっている。リブ２１は、周方向に沿ってその中央部に向かうに従い漸次、径方向の内側に向けて延びる凹曲面状に形成されている。リブ２１は、縦断面視で径方向の内側に向けて窪む凹曲面状に形成されている。複数の突条部１８のうち、最も下方に位置する突条部１８とリブ２１との上下方向の間隔は、上下方向で互いに隣り合う突条部１８同士の間隔と同等になっている。
【００２１】
リブ２１の上下方向の大きさは、上下方向で互いに隣り合う突条部１８同士の間隔より大きい。リブ２１の上下方向の大きさは、傾斜部１６の上下方向の大きさの約半分となっている。リブ２１の周方向の大きさは、指当て用凹部１５の周方向の大きさの約３分の１となっている。
なお、リブ２１の大きさは、図示の形態に限らず適宜変更してもよい。
【００２２】
以上説明したように、本実施形態によるピンチグリップ式ボトル型容器１によれば、指当て用凹部１５と傾斜部１６との接続部分１７に、指当て用凹部１５および傾斜部１６の双方に位置するリブ２１が形成されているので、前記接続部分１７の剛性を高めることが可能になり、内容物が収容され、かつ口部１１が封止された状態で落下したときに生ずる水撃作用によって、前記接続部分１７に局所的な大きな負荷が加えられても、前記接続部分１７が起点となって指当て用凹部１５が径方向の外側に向けて反転変形するのを抑制することができる。
【００２３】
また、リブ２１が上下方向に延びているので、リブ２１が周方向に延びている構成と比べて、水撃作用に対する前記接続部分１７の剛性を確実に高めることができるとともに、この容器１のブロー成形時にリブ２１を精度よく形成することができる。
また、リブ２１の上端縁の幅が、リブ２１の下端縁の幅より広いので、この容器１のブロー成形時にリブ２１を確実に精度よく形成することができる。
【００２４】
なお、本発明の技術範囲は、前述した実施形態に限定されるものではなく、本発明の趣旨を逸脱しない範囲において種々の変更を加えることが可能である。
【００２５】
例えば、前記実施形態では、リブ２１として、径方向の内側に向けて窪む凹部を示したが、径方向の外側に向けて突出する突部であってもよい。
また、前記実施形態では、リブ２１の上端縁の幅を、リブ２１の下端縁の幅より広くしたが、リブ２１の幅を上下方向の全長にわたって同等にしてもよいし、リブ２１の下端縁の幅を、リブ２１の上端縁の幅より広くしてもよい。
また、リブ２１の上端縁は、指当て用凹部１５の底面１５ａの下端縁より上方に位置してもよいし、底面１５ａの下端縁に位置してもよい。
また、傾斜部１６の上端縁と指当て用凹部１５の下端縁との接続部分１７は、胴部１３の側面視で上方若しくは下方に突の曲線状に延びてもよい。
【００２６】
また、ピンチグリップ式ボトル型容器１を形成する合成樹脂材料は、例えばポリエチレンテレフタレートや、ポリエチレンナフタレート、非晶性ポリエステル等、またはこれらのブレンド材料等、適宜変更してもよい。
さらに、ピンチグリップ式ボトル型容器１は、単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
また、前記実施形態では、肩部１２、および底部１４のそれぞれの容器軸Ｏに直交する横断面視形状を円形状としたが、これに限らず例えば、角形状にする等適宜変更してもよい。
【００２７】
その他、本発明の趣旨を逸脱しない範囲で、前記実施形態における構成要素を周知の構成要素に置き換えることは適宜可能であり、また、前記変形例を適宜組み合わせてもよい。
【符号の説明】
【００２８】
１  ピンチグリップ式ボトル型容器
１１  口部
１３  胴部
１３ａ  側面領域
１３ｂ  背面領域
１４  
１５  指当て用凹部
１６  傾斜部
１７  接続部分
２１  リブ
Ｇ  グリップ部
Ｏ  容器軸（中心軸線）
【図１】
2019202796.tif 000003
【図２】
2019202796.tif 000004
【図３】
2019202796.tif 000005